(57)【要約】【課題】ディスク処理装置の内部に失敗ディスクが溜まってしまうことを防止する。【解決手段】処理対象ディスクに対してデータの書き込み処理を行うディスクドライブ４と、データ書き込み処理が正常に行われたか否かを検査するデータ書込検査部１０６と、処理対象ディスクを外部へ排出する際に利用されるディスク排出スタッカ１０と、ディスク搬送機構６の駆動を制御し、処理済ディスク排出要求に応じて、処理済ディスク２Ｂと失敗ディスク２Ｃとをディスク排出スタッカ１０へ搬送するよう制御するディスク搬送機構制御部１０５と、を備える。【選択図】図４
2008052849.tif 000002
【特許請求の範囲】
【請求項１】
処理対象ディスクに対してデータの書き込み処理を行うディスクドライブと、
前記データ書き込み処理が正常に行われたか否かを検査するデータ書込検査部と、
前記処理対象ディスクを外部へ排出する際に利用されるディスク排出スタッカと、
少なくとも前記ディスクドライブと前記ディスク排出スタッカとの間で、前記処理対象ディスク、前記書き込み処理が行われた処理済ディスク及び前記データ書き込み処理が正常に行われなかった失敗ディスクを搬送するディスク搬送機構と、
前記ディスク搬送機構の駆動を制御するディスク搬送機構制御部と、を有し、
前記ディスク搬送機構制御部は、処理済ディスク排出要求に応じて、前記処理済ディスクと前記失敗ディスクとを前記ディスク排出スタッカへ搬送するよう制御することを特徴とするディスク処理装置。
【請求項２】
前記失敗ディスクのレーベル面に、失敗ディスクであることを表示する書込み失敗表示を印刷するレーベルプリンタを備えることを特徴とする請求項１に記載のディスク処理装置。
【請求項３】
前記ディスクドライブは、ネットワークを介して通信可能に接続されたディスク作成要求端末から与えられるディスク作成要求に応じて前記書き込み処理を実行し、
前記書き込み処理が正常に行われなかったことを、前記ネットワークを介して前記ディスク作成要求端末に通知する書込結果通知部を備えることを特徴とする請求項１または２に記載のディスク処理装置。
【請求項４】
処理対象ディスクに対してデータの書き込み処理を行う書き込みステップと、
前記データ書き込み処理が正常に行われたか否かを検査するデータ書込検査ステップと、
前記データ書込検査ステップにおいて、前記データ書込処理が正常に行われなかったと判断された失敗ディスクと、前記書き込み処理が行われた処理済ディスクとを、ディスク排出スタッカへ搬送するディスク搬送ステップと、を有することを特徴とするディスク処理装置の制御方法。
【請求項５】
前記失敗ディスクのレーベル面に、失敗ディスクであることを表示する書き込み失敗表示を印刷する書込み失敗表示印刷ステップを有することを特徴とする請求項４に記載のディスク処理装置の制御方法。
【請求項６】
前記書き込みステップは、ネットワークを介して通信可能に接続されたディスク作成要求端末から与えられるディスク作成要求に応じて実行され、
前記書き込み処理が正常に行われなかったことを、前記ネットワークを介して前記ディスク作成要求端末に通知する書込結果通知ステップを有することを特徴とする請求項４または５に記載のディスク処理装置の制御方法。
【発明の詳細な説明】
【技術分野】
【０００１】
本発明は、未記録のディスクに対しデータ書き込み処理を行なうと共に、ディスクのレーベル面に印刷処理を行なうディスク処理装置及びディスク処理装置の制御方法に関する。
【背景技術】
【０００２】
データが記録されていないコンパクトディスクにデータを記録するディスク処理装置が知られている。ディスク処理装置は、主としてディスクにデータを記録する少なくとも１つのディスクドライブ、ディスクに適正に記録が行なわれたかどうかを検査する検査装置、ディスク記録面の裏側に貼着されているレーベル面に印刷処理を行なうプリンタ、ディスクを保管する各種ストッカ、及びディスクを上記した各装置間で搬送する搬送装置等を具備した構成となっている(特許文献１参照)。
【０００３】
さらに、特許文献１のディスク処理装置は、未記録品ストッカ、適正品ストッカ及び不良品ストッカの３種類のストッカを備え、データが記録されていない未記録ディスクは未記録品ストッカに保管され、検査装置によってデータが適正に記録されたと判断された適正品ディスクは適正品ストッカに保管され、検査装置によってデータが適正に記録されなかったと判断された失敗ディスクは不良品ストッカに保管されるよう構成されている。
【０００４】
【特許文献１】特開２０００−２６０１７２号公報
【発明の開示】
【発明が解決しようとする課題】
【０００５】
しかしながら、上記のように、適正品ディスクと失敗ディスクとを分離して保管するような場合には、ディスク作成処理終了後に、ユーザが適正品ストッカから適正品ディスクだけを取り出し、不良品ストッカから失敗ディスクを取り出さなかった場合には、いずれは不良品ストッカに不良品ディスクが溜まってしまう。そもそも、ユーザはディスク作成処理において、データ記録処理に失敗した失敗ディスクが発生したことは認識できないため、失敗ディスクが発生したかどうかは、ディスク処理装置の不良品ストッカを積極的にチェックしに行かなければ把握することができない。
【０００６】
これでは、ユーザが失敗ディスクの取り出しを忘れてしまう可能性が高く、複数の失敗ディスクがディスク処理装置内に残留していき、ひいては不良品ストッカが失敗ディスクでいっぱいになり、次に与えられたディスク作成指示に応じてディスク作成処理を迅速に実行することができなくなる。
【０００７】
本発明は、上記課題を鑑み、ディスク処理装置の内部に失敗ディスクが溜まってしまうことを防止することを目的とする。また、ユーザに失敗ディスクの取り出しを促し、ユーザに失敗ディスクが作成されたことを認識させることを目的とする。
【課題を解決するための手段】
【０００８】
本発明は、処理対象ディスクに対してデータの書き込み処理を行うディスクドライブと、前記データ書き込み処理が正常に行われたか否かを検査するデータ書込検査部と、前記処理対象ディスクを外部へ排出する際に利用されるディスク排出スタッカと、少なくとも前記ディスクドライブと前記ディスク排出スタッカとの間で、前記処理対象ディスク、前記書き込み処理が行われた処理済ディスク及び前記データ書き込み処理が正常に行われなかった失敗ディスクを搬送するディスク搬送機構と、前記ディスク搬送機構の駆動を制御するディスク搬送機構制御部と、を有し、前記ディスク搬送機構制御部は、処理済ディスク排出要求に応じて、前記処理済ディスクと前記失敗ディスクとを前記ディスク排出スタッカへ搬送するよう制御することを特徴とする。
また、本発明は、処理対象ディスクに対してデータの書き込み処理を行う書き込みステップと、前記データ書き込み処理が正常に行われたか否かを検査するデータ書込検査ステップと、前記データ書込検査ステップにおいて、前記データ書込処理が正常に行われなかったと判断された失敗ディスクと、前記書き込み処理が行われた処理済ディスクとを、ディスク排出スタッカへ搬送するディスク搬送ステップと、を有することを特徴とする。
【０００９】
上記構成によれば、ディスク排出スタッカに、処理済ディスクと失敗ディスクとを搬送するように設定されているので、処理済ディスク排出要求が与えられると、処理済ディスクだけでなく失敗ディスクも外部へ排出されるので、ディスク処理装置の内部に失敗ディスクが溜まってしまうことを防止することが可能である。
【００１０】
また、本発明は、前記失敗ディスクのレーベル面に、失敗ディスクであることを表示する書き込み失敗表示を印刷するレーベルプリンタを備えることを特徴とする。
また、本発明は、前記失敗ディスクのレーベル面に、失敗ディスクであることを表示する書き込み失敗表示を印刷する書き込み失敗表示印刷ステップを有することを特徴とする。
【００１１】
上記構成によれば、失敗ディスクのレーベル面には書き込み失敗表示が印刷されるので、処理済ディスクと失敗ディスクとがディスク排出スタッカに一緒に排出されても、ユーザは一見するだけで、処理済ディスクと失敗ディスクとを見分けることが可能である。
【００１２】
また、本発明において、前記ディスクドライブは、ネットワークを介して通信可能に接続されたディスク作成要求端末から与えられるディスク作成要求に応じて前記書き込み処理を実行し、前記書き込み処理が正常に行われなかったことを、前記ネットワークを介して前記ディスク作成要求端末に通知する書込結果通知部を備えることを特徴とする。
また、本発明は、前記書き込みステップは、ネットワークを介して通信可能に接続されたディスク作成要求端末から与えられるディスク作成要求に応じて実行され、前記書き込み処理が正常に行われなかったことを、前記ネットワークを介して前記ディスク作成要求端末に通知する書込結果通知ステップを有することを特徴とする。
【００１３】
上記構成によれば、失敗ディスクが作成された場合は、ネットワーク内のディスク作成要求端末に対して書き込み処理が正常に行われなかったことが通知されるよう構成されている。すなわち、ディスク作成要求端末のユーザは、ディスク作成処理において失敗ディスクが作成されたことを認識することができる。したがって、ユーザは、ディスク作成装置から処理済ディスクを取り出す際に、処理済ディスクとともに失敗ディスクも排出されることを予め認識しておくことができる。
【発明の効果】
【００１４】
本発明によれば、ディスク処理装置の内部に失敗ディスクが溜まってしまうことを防止することが可能である。また、ユーザに失敗ディスクの取り出しを促し、ユーザに失敗ディスクが作成されたことを認識させることが可能である。
【発明を実施するための最良の形態】
【００１５】
（パブリッシャの具体的構成例）
以下に、図面を参照して、本発明を適用したディスク処理装置の実施例を説明する。図１はＣＤやＤＶＤ等のディスクの記録面にデータを書き込んだりレーベル面に印刷を行うパブリッシャ（ディスク処理装置）の外観斜視図である。
パブリッシャ１は、ほぼ直方体形状のケース８を備えている。このケース８の前面には、左右に開閉可能な開閉扉９、３３が取り付けられている。開閉扉９、３３の下側右端部には、表示ランプ、操作ボタン、電源ボタンなどが配列された操作面３４が形成されており、当該操作面３４の隣には、ディスク排出スタッカ１０が設置されている。
【００１６】
図２は、開閉扉９、３３およびケース８の一部を取り外した状態でのパブリッシャ１の斜視図である。図３は、パブリッシャ１の機械的構成を示した模式図である。
パブリッシャ１には、セキュリティシステムによって、パブリッシャ１の内部に保管されている情報資産への悪意者によるアクセスを制御するセキュリティシステムが施されている。例えば、右側の開閉扉９は閉じ状態にロックされており、操作面３４に図示せぬ生体認証用の読み取り部、例えば指紋センサなどを配置しておき、予め登録されている者のみが開閉できるようになっている。これに対して、左側の開閉扉３３は処理対象ディスクのレーベル面にレーベル印刷を行う図示しないレーベルプリンタのインクカートリッジの交換時に開閉するためのものである。当該開閉扉３３を開けると、カートリッジ装着部３６が露出するようになっている。本例では上下二段のカートリッジ装着部３６が形成されている。
【００１７】
図２を参照して説明すると、パブリッシャ１のケース８の内部には、その右側の部位において、データ書き込み処理が行われていない複数枚の未使用のブランクディスク２Ａ（処理対象ディスク）をスタック可能なブランクディスクスタッカ３Ａと、データ書き込み処理及びレーベルプリンタによるレーベル印刷処理が行われた書込済ディスク２Ｂが保管される処理済ディスクスタッカ３Ｂが同軸状態で上下に配置されている。ブランクディスクスタッカ３Ａは、前方に水平に引き出し可能なスライド板４１と、このスライド板４１の上に垂直に配置されている左右一対の円弧状の枠板４２、４３とを備えている。これらにより、処理対象ディスクを上側から受け入れ、同軸状態に積層した状態で収納可能なスタッカが構成されている。ブランクディスクスタッカ３Ａにブランクディスク２Ａを収納あるいは補充する作業は、開閉扉９を開け、スライド板４１を手前に引き出すことにより、簡単に行うことが可能となっている。
【００１８】
下側の処理済ディスクスタッカ３Ｂも同一構造となっており、前方に水平に引き出し可能なスライド板４４と、この上面に垂直に配置されている左右一対の円弧状の枠板４５、４６とを備えている。これらによって、ディスクを上側から受け入れ、同軸状態で積層した状態で収納可能なスタッカが構成されている。また、開閉扉９からは、書込済ディスク２Ｂを取り出すことができる。
【００１９】
これらのブランクディスクスタッカ３Ａおよび処理済ディスクスタッカ３Ｂの後側には、ディスク搬送機構６が配置されている。ディスク搬送機構６は、ケース８に垂直に取り付けられているシャーシ５１と、このシャーシ５１の上下の水平支持板部分５２、５３の間に垂直に架け渡されている垂直ガイド軸５４（図３参照）と、この垂直ガイド軸５４に取り付けたディスクキャリア５５と、を備えている。ディスクキャリア５５は、垂直ガイド軸５４に沿って昇降可能であるとともに、当該垂直ガイド軸５４を中心に左右に旋回可能である。ディスク搬送機構６によってディスク排出スタッカ１０に搬送されてきた書込済ディスク及び書き込み処理に失敗した失敗ディスク２Ｃは、当該ディスク排出スタッカ１０から外部に取り出すことが可能になっている。
【００２０】
図３に示すように、上下のスタッカ３Ａ、３Ｂおよびディスク搬送機構６の側方の部位には、上側にディスクドライブ４が配置され、下側にレーベルプリンタのディスクトレイ８１が配置するようになっている。ディスクドライブ４は、処理対象ディスクへのデータ書き込み位置と、ディスクの受け渡しを行うディスク受け渡し位置との間を移動可能なディスクトレイ４ａを有している。また、レーベルプリンタのディスクトレイ８１は、ディスクのレーベル面へのレーベル印刷可能な位置とディスクの受け渡しを行うディスク受け渡し位置との間を移動可能に構成されている。
【００２１】
また、ディスクトレイ８１の下方には、図示しない汎用スタッカが配置されている。後述する通常モードでは使用されることはないが、処理モードによっては、この汎用スタッカには、データ書き込み処理に失敗した失敗ディスク２Ｃが保管されたり、書込済ディスク２Ｂが保管されるように設定しておくことも可能である。
【００２２】
図２では、上側のディスクドライブ４のディスクトレイ４ａが手前に引き出されたディスク受け渡し位置４Ａにある状態、および、下側のレーベルプリンタのディスクトレイ８１が手前側のディスク受け渡し位置８１Ａにある状態が示されている。また、レーベルプリンタはインクジェットプリンタであり、インク供給源として各色のインクカートリッジ８２が用いられており、これらのインクカートリッジ８２がカートリッジ装着部３６に前方から装着されている。
【００２３】
ブランクディスクスタッカ３Ａおよび処理済ディスクスタッカ３Ｂの左右一対の枠板４２、４３の間、４５、４６の間には、ディスク搬送機構６のディスクキャリア５５が昇降可能な隙間が形成されている。また、これら上下のスタッカ３Ａ、３Ｂの間には、ディスクキャリア５５が水平に旋回して、ブランクディスクスタッカ３Ａの真上に位置できるように、隙間が開いている。さらに、上側のディスクトレイ４ａをディスクドライブ４に押し込むと、ディスク搬送機構６のディスクキャリア５５を下降させて、ディスク受け渡し位置にあるディスクトレイ８１にアクセス可能となっている。したがって、ディスクキャリア５５の昇降および左右への旋回の組み合わせ動作によって、ディスクを各部分に搬送することが可能である。
【００２４】
ここで、パブリッシャ１が実行する通常処理モードは以下の手順で実行される。
＜通常処理モード＞
（１）ブランクディスクスタッカ３Ａからブランクディスクを取り出し、ディスクドライブ４へ搬送する。
（２）ディスクドライブ４によってブランクディスクにデータを書き込む。
（３）レーベルプリンタによってレーベル面にレーベル印刷を行う（書込済ディスク２Ｂの完成）。
（４）書込済ディスク２Ｂを処理済ディスクスタッカ３Ｂへ搬送する。なお、（２）でデータ書込み処理に失敗した場合には、失敗ディスク２Ｃを処理済ディスクスタッカ３Ｂへ搬送する。
【００２５】
上述のように、通常処理モードでは、ブランクディスク２Ａ、処理済ディスク２Ｂ及び失敗ディスク２Ｃが、ブランクディスクスタッカ３Ａ、処理済ディスクスタッカ３Ｂ、ディスク排出スタッカ１０、ディスクドライブ４のディスクトレイ４ａ及びレーベルプリンタのディスクトレイ８１間をディスク搬送機構６を介して搬送されるようになっている。
【００２６】
（パブリッシャ１の内部処理について）
次に、パブリッシャ１の内部処理について図３及び４を参照して説明する。図４は、図３に示した内部制御装置１００の内部処理を表した制御ブロック図である。
図３に示すように、パブリッシャ１は、各部の制御を司る内部制御装置１００を有し、パブリッシャ１の動作制御を行う。具体的には、ディスクドライブ４、レーベルプリンタ、ディスク搬送機構６等の動作を制御する。
【００２７】
図３及び図４に示すように、内部制御装置１００は、作成者ＰＣ２００からネットワーク２５０を介して送信される各種コマンド、書き込みデータやレーベル印刷画像データを受信する受信部１０１と、受信部１０１が受信したコマンド及びデータを一時的に保持する受信バッファ１０２を有している。状態管理部１１０は、受信バッファ１０２に保持されたコマンド内容に応じて、各構成部へ所定の処理を実行するよう指示する。
【００２８】
ディスクドライブ制御部１０３は、受信した書き込みデータをブランクディスク２Ａへ書き込むデータ書き込み処理を制御する。ディスクドライブ４が備えるディスクを回転させるためのモーター、ディスクの記録面に書き込みを行なうヘッドやディスクトレイ４ａの駆動制御を行う。
【００２９】
プリンタ制御部１０４は、レーベルプリンタが備える印刷ヘッド、キャリッジ等の駆動制御を行う。図示しないレーベル画像生成部によって、受信したレーベル画像のデータをもとにデータ展開処理が行われ、印刷ヘッドのノズル列に応じて生成されたドットパターンデータに基づき、ディスクのレーベル面にレーベル印刷を実行する。
【００３０】
ディスク搬送機構制御部１０５は、状態管理部１１０を介して指示されるディスク搬送コマンドに応じてディスク搬送機構６の動作を制御する。図示せぬモーターを駆動させて、ディスクキャリア５５を垂直昇降あるいは水平旋回させ、指示に応じた搬送先へ処理対象ディスクを搬送させる。また本実施形態では、処理済ディスク排出要求に応じて、処理済ディスク２Ｂと失敗ディスク２Ｃとをディスク排出スタッカ１０へ搬送するよう制御する。処理済ディスク排出要求とは、例えば、ディスク作成要求を発行したディスク作成要求者による操作面３４に配置された指紋センサからの入力、認証用のパスワードなどを入力するための図示しないテンキーからの入力などである。
【００３１】
データ書込み検査部１０６は、ディスクドライブ制御部１０３によって実行されたデータ書き込み処理が正常に行われたか否かを検査する。検査結果を状態管理部１１０へ通知し、状態管理部１１０は、検査結果に応じた次の動作を各構成部へ指示する。
【００３２】
操作部１１１は、操作面３４に設置された操作ボタン、電源ボタンからの指示を受信し、状態管理部１１０を介して、指示に応じた動作を各構成部へ指示する。また、パブリッシャ１にアクセスする場合（開閉扉９を開いてディスクの補充、取り出しを行う場合）に認証用のパスワードなどを入力するためのテンキーなどの英数字キー群、各種のファンクションキー群、による入力信号を受信する。
【００３３】
メールサーバ１５０（書き込み結果通知部）は、データ書込み検査部１０６から検査結果通知を受けた状態管理部１１０が送信部１０９を介して送信した検査結果を、検出結果メールとしてネットワーク２５０を介して、作成者ＰＣ２００（ディスク作成要求端末）へ送信する。本実施形態では、書き込み処理が正常に行われなかった場合には、書き込み失敗結果メールを作成者ＰＣ２００へ送信する。
【００３４】
（パブリッシャ１のディスク作成処理について）
つぎに、パブリッシャ１が行うディスク作成処理について説明する。図５は、パブリッシャ１が行うディスク作成処理を説明するフローチャートである。
【００３５】
本実施形態では、作成者ＰＣ２００からのディスク作成要求に応じて、ディスクドライブ４が書き込み処理を行い、書き込み処理に失敗した場合には、ディスク搬送機構制御部１０５は失敗ディスクを処理済ディスクスタッカ３Ｂへ搬送した後、データ書き込み処理が正常に行われた処理済ディスクが作成されるまで、ブランクディスクに対するデータ書き込み処理を実行する。
【００３６】
さらに、本実施形態のディスク搬送機構制御部１０５は、操作面３４の操作ボタンによって認証用のパスワードが入力されると、そのパスワードに対応するディスク作成要求者の使用する作成者ＰＣ２００から送信されたディスク作成要求に従い、作成された処理済ディスク２Ｂと失敗ディスク２Ｃとを、処理済ディスクスタッカ３Ｂから取り出し、ディスク排出スタッカ１０へ搬送するよう設定されている。
【００３７】
図５を参照しつつ、ディスク作成処理について具体的に説明する。
作成者ＰＣ２００から、ネットワーク２５０を介してディスク作成要求が送信されると（ステップＳ１１）、ディスク搬送機構６によってブランクディスクスタッカ３Ａからブランクディスク２Ａが取り出され、ディスクドライブ４へ搬送される（ステップＳ１２）。ディスクドライブ４は、ディスク作成要求と前後して作成者ＰＣ２００から送信された書き込みデータを、ブランクディスク２Ａに書き込む（ステップＳ１３）。
【００３８】
書き込み処理が終了すると、データ書き込み検査部１０６が、データ書き込み処理が正常に行われたか否かを検査し、データ書き込み処理に失敗したと判断すると（ステップＳ１４：Ｙｅｓ）、失敗したディスクに書き込みデータを上書きする（ステップＳ１５）。なお、上書きされるデータは、作成者ＰＣから送信された書き込みデータでもよいが、図示しない記憶部に予めデータ量の小さいダミーのデータを記憶させておけば、そのダミーデータを上書きデータとして使用してもよい。
【００３９】
次に、ディスク搬送機構６は、上書きされた失敗ディスクをディスクトレイ８１まで搬送し（ステップＳ１６）、レーベルプリンタが、失敗ディスクのレーベル面に、失敗ディスクであることを表示する書き込み失敗表示を印刷する（ステップＳ１７）。印刷処理が終了すると、ディスク搬送機構６は失敗ディスクを処理済ディスクスタッカ３Ｂまで搬送する（ステップＳ１８）。
【００４０】
そして、再びブランクディスクスタッカ３Ａから新たなブランクディスク２Ａを取り出て、ディスクドライブ４へ搬送し（ステップＳ１２）、ディスクドライブ４は、既に受信している書き込みデータを、ブランクディスク２Ａに書き込み、ディスクの再作成を行う（ステップＳ１３）。再び、データ書き込み検査部１０６が、データ書き込み処理が正常に行われたか否かを検査し、データ書き込み処理が正常に行われたと判断すると（ステップＳ１４：Ｎｏ）、ディスク搬送機構６が、データが書き込まれたディスクをディスクトレイ８１まで搬送し、レーベルプリンタが、ディスク作成要求と前後して作成者ＰＣ２００から送信されたレーベル画像データの印刷を実行する（ステップＳ１９）。
【００４１】
次に、ディスク搬送機構６が、レーベル印刷が行われた書込済ディスク２Ｂをディスクトレイ８１から処理済ディスクスタッカ３Ｂまで搬送すると（ステップＳ２０）、データ書込み検査部１０６から検査結果通知を受けた状態管理部１１０が送信部１０９を介して送信した検査結果が、書き込み失敗結果メールとしてメールサーバ１５０からネットワーク２５０を介して、作成者ＰＣ２００へ送信される（ステップＳ２１）。
【００４２】
書き込み失敗結果メールを開いて見たディスク作成要求者が、操作面３４に配置された操作ボタンから認証用のパスワードを入力すると、操作部１１１を介して処理済ディスク排出要求として認識され（ステップＳ２２：Ｙｅｓ）、ディスク搬送機構６が、処理済ディスクスタッカ３Ｂに保管された失敗ディスク２Ｃと処理済ディスク２Ｂとを順にディスク排出スタッカ１０へ搬送する（ステップＳ２３）。ディスク作成要求者は、ディスク排出スタッカ１０から失敗ディスク２Ｃと処理済ディスク２Ｂとを取出し、レーベル面を参照すれば何れかが失敗ディスク２Ｃであるかを見分けることができ、失敗ディスク２Ｃのみを間違いなく処分することができる。
【００４３】
なお、本実施形態では、ディスク排出スタッカ１０へディスクを搬送する前に、失敗ディスク２Ｃと処理済ディスク２Ｂとを、同じ処理済ディスクスタッカ３Ｂに一時保管するように設定されているが、これに限られることはない。例えば、上述したディスクトレイ８１の下方に配置された図示しない汎用スタッカに失敗ディスク２Ｃのみを一時保管させておき、ディスク作成要求者から処理済ディスク排出要求があった場合に、処理済ディスクスタッカ３Ｂからディスク排出スタッカ１０へ処理済ディスク２Ｂを搬送するとともに、汎用スタッカからディスク排出スタッカ１０へ失敗ディスク２Ｃを搬送するように構成してもよい。
【００４４】
このように、本実施形態のパブリッシャ１によれば、処理済ディスクスタッカ３Ｂに、処理済ディスク２Ｂと失敗ディスク２Ｃとを一時保管しておき、処理済ディスク排出要求が与えられると、処理済ディスク２Ｂだけでなく失敗ディスク２Ｃもディスク排出スタッカ１０へ搬送されるので、パブリッシャ１の内部に失敗ディスク２Ｃが溜まってしまうことを防止することが可能である。また、処理済ディスク２Ｂと失敗ディスク２Ｃとがディスク排出スタッカ１０に一緒に排出されても、ディスク作成要求者はディスクのレーベル面を一見するだけで、処理済ディスク２Ｂと失敗ディスク２Ｃとを見分けることが可能である。
【００４５】
また、本実施形態のパブリッシャ１によれば、ディスク作成要求者は、メールサーバ１５０から送信された書き込み失敗結果メールによって、ディスク作成処理において失敗ディスク２Ｃが作成されたことを認識することができる。したがって、ディスク作成要求者は、パブリッシャ１から処理済ディスク２Ｂを取り出す際に、処理済ディスク２Ｂとともに失敗ディスク２Ｃも排出されることを予め認識しておくことができる。
【図面の簡単な説明】
【００４６】
【図１】本実施形態のパブリッシャを示す外観斜視図である。
【図２】図１のパブリッシャ開閉扉よびケースの一部を取り外した状態の斜視図である。
【図３】パブリッシャの機械的構成を示した模式図である。
【図４】図３に示した内部制御装置の内部処理を表した制御ブロック図である。
【図５】パブリッシャ１が行うディスク作成処理を説明するフローチャートである。
【符号の説明】
【００４７】
１：パブリッシャ、２Ａ：ブランクディスク、２Ｂ：処理済ディスク、２Ｃ：失敗ディスク、３Ａ：ブランクディスクスタッカ、３Ｂ：処理済ディスクスタッカ、４：ディスクドライブ、６：ディスク搬送機構、１０：ディスク排出スタッカ、１００：内部制御装置、１０５：ディスク搬送機構制御部、１０６：データ書込み検査部、１１０：状態管理部、１１１：操作部
【図１】
2008052849.tif 000003
【図２】
2008052849.tif 000004
【図３】
2008052849.tif 000005
【図４】
2008052849.tif 000006
【図５】
2008052849.tif 000007